(57)【特許請求の範囲】
【請求項１】
上部と下部に夫々直列ユニット取付用のボックスに対する取付部材を備えさせたケースを有し、上記ケースには信号を受け入れる為の入力端子と、信号を出力する為の出力端子と、上記信号の内の分岐された一部を出力する為の分岐端子を備えさせているボックス取付型直列ユニットにおいて、上記ケースは、前面壁に上記分岐端子を備えさせた本体部と、上記本体部の左右においてそれぞれ上方に偏在した位置から左右の側方に夫々張り出させた張出部とから構成し、上記入力端子及び出力端子としては、夫々ケース取付部と接栓装着部とを備えている接栓座を用い、それらの接栓座は、各々の接栓装着部が上記本体部の左右の側方で且つ各張出部の下方に位置し、しかも各接栓座における接栓装着部と上記本体部の左右の外側面との間隔が各接栓座におけるケース取付部と上記本体部の左右の外側面との間隔よりも大きくなるように傾斜する状態で、各々のケース取付部を各張出部の下壁に取付けたことを特徴とするボックス取付型直列ユニット。
【発明の詳細な説明】
【０００１】
【産業上の利用分野】
本発明は例えばテレビの共同受信施設において使用する直列ユニットに関し、詳しくは家屋の壁面に埋め込み状に備えたボックスに取付けて使用するボックス取付型直列ユニットに関する。
【０００２】
【従来の技術】
この種の直列ユニットとしては、上部と下部に夫々直列ユニット取付用のボックスに対する取付部材を備えさせたケースを有し、上記ケースには信号を受け入れる為の入力端子と、信号を出力する為の出力端子と、上記信号の内の分岐された一部を出力する為の分岐端子を備えさせ、しかも上記ケースは、前面壁に上記分岐端子を備えさせた本体部と、その本体部の背面において上方に偏在した位置から後方に張り出させた張出部とにより構成し、上記入力端子及び出力端子としては何れも接栓装着部とケース取付部とを備えている接栓座を用いると共に、それらの接栓座は、各々の接栓装着部が上記本体部の後方で且つ張出部の下方に位置し、しかも夫々真っ直ぐ下向きとなる状態において、各々のケース取付部を上記張出部の下壁に取付けたものがある（例えば実開平５−２８１８８号公報参照）。
【０００３】
上記直列ユニットにあっては、入力端子に入来し出力端子から送り出される信号の一部を分岐端子に出力するので、その分岐端子に接続する機器において信号の利用ができる。しかもその場合、入力端子及び出力端子として接栓座を使用しているが故に、信号の漏洩やノイズ電波の飛び込みを防止できて良質の信号の利用が出来る。
【０００４】
【発明が解決しようとする課題】
しかし上記従来の直列ユニットにあっては、上記接栓座の取付の為の張出部を後方に張り出させている為、奥行き寸法が大きくなっている問題点があった。しかも接栓座は張出部に対して真っ直ぐ下向きの状態に取付けられ、しかもその取付状態において、ケースにおける本体部の背面と該接栓座における接栓装着部との間に、接栓装着部に対する接栓の装着作業を行う為の間隔が確保されるようにされる為、上記張出部の後方への張出寸法はその間隔の確保に足るだけ大きくなり、上記奥行き寸法がそれだけ大きくなっている問題点があった。
このことは、例えば建物の建築の場合にあって壁の施工の際に予めボックスが壁面に埋め込み状態に備えておかれ、壁の施工完了後に共同受信設備の設置作業員が直列ユニットの取付のためにそれを携えて上記ボックスが備えられている現場に赴いた際に、上記予め設置されていたボックスが奥行きの小さい浅型のボックスであると、上記持参した直列ユニットの取付が出来ず、深型のボックスへの取り替えのために壁をはつるなどの余分の作業が強いられる結果となる問題点があった。
【０００５】
本願発明のテレビ共聴用直列ユニットは上記従来技術の問題点（技術的課題）を解決する為に提供するものである。
第１の目的は、入力端子に入来し出力端子から送り出される信号の一部を分岐端子に出力して、その分岐端子に接続する機器において信号の利用を可能にできるようにした直列ユニットを提供することである。
第２の目的は、上記入力端子及び出力端子に接栓座を用いることにより信号の漏洩やノイズ電波の飛び込みを防止して、上記の場合、良質の信号の利用が出来るようにすることである。
第３の目的は、上記のように入力端子及び出力端子に接栓座を用いるものであっても、それらの接栓座は、ケースの本体部における左右に張出部を設けてそれらの張出部に接栓座における接栓装着部が本体部の左右に位置するように取付けることによって、直列ユニットの奥行き寸法を小さくし、深いボックスへの取付は勿論のこと浅いボックスへの取付も可能に出来るようにすることである。
第４の目的は、上記のように左右への張出部を備えるものであってもそれらの張出寸法をできるだけ小さくして直列ユニットＹの幅寸法の小型化を図り得るようにすることである。
第５の目的は、上記のように左右への張出寸法を小さくした張出部に接栓座が取り付いていても、本体部の左右の外側面と接栓座における接栓装着部との間隔を大きく取ることができて、接栓装着部に対する接栓の装着が容易にできるようにすることである。
他の目的及び利点は図面及びそれに関連した以下の説明により容易に明らかになるであろう。
【０００６】
【課題を解決するための手段】
上記目的を達成する為に、本願発明におけるテレビ共聴用直列ユニットは、上部と下部に夫々直列ユニット取付用のボックスに対する取付部材を備えさせたケースを有し、上記ケースには信号を受け入れる為の入力端子と、信号を出力する為の出力端子と、上記信号の内の分岐された一部を出力する為の分岐端子を備えさせているボックス取付型直列ユニットにおいて、上記ケースは、前面壁に上記分岐端子を備えさせた本体部と、上記本体部の左右においてそれぞれ上方に偏在した位置から左右の側方に夫々張り出させた張出部とから構成し、上記入力端子及び出力端子としては、夫々ケース取付部と接栓装着部とを備えている接栓座を用い、それらの接栓座は、各々の接栓装着部が上記本体部の左右の側方で且つ各張出部の下方に位置し、しかも各接栓座における接栓装着部と上記本体部の左右の外側面との間隔が各接栓座におけるケース取付部と上記本体部の左右の外側面との間隔よりも大きくなるように傾斜する状態で、各々のケース取付部を各張出部の下壁に取付けたものである。
【０００７】
【作用】
入力端子及び出力端子として接栓座の使用は、伝達すべき信号が外部に漏洩したり、外部からのノイズ電波が上記信号に混入することを防止する。ケースを本体部とその本体部の左右においてそれぞれ上方に偏在した位置から左右の側方に張り出させた張出部とから構成し、上記張出部の下壁に対して、接栓座における接栓装着部が上記本体部の左右の側方で且つ各張出部の下方に位置する状態において、接栓座におけるケース取付部を上記張出部の下壁に取付けた構成は、直列ユニットの奥行き寸法を小寸法化する。又、各接栓座における接栓装着部と上記本体部の左右の外側面との間隔が各接栓座におけるケース取付部と上記本体部の左右の外側面との間隔よりも大きくなるように傾斜させた状態で取付ける構成は、張出部の左右への張出の必要寸法を小寸法化して直列ユニットの幅寸法を小型化することを可能にすると同時に、本体部の左右の外側面と接栓座における接栓装着部との間隔を大きく取って、接栓装着部に対する接栓の装着を容易化することを可能にする。
【０００８】
【実施例】
以下本願の実施例を示す図面について説明する。図１において、ボックス取付型直列ユニットＹは、電気的機能を果たす回路が備えられている本体Ａと該本体Ａをボックスに取付けるための取付枠Ｂとから構成している。先ず本体ＡはケースＡ１を備え、該ケースＡ１に前段から信号を受け入れる為の入力端子Ａ２と、後段に向けて信号を送り出す為の出力端子Ａ３と、受信機器を接続してそれに信号を与える為の例えば二つの分岐端子Ａ４を備えさせると共に、ケースＡ１内には図２の（Ｂ）に示す回路基板Ｃを収容している。上記ケースＡ１は上記各端子の取付ベースをなすと共に上記回路基板Ｃを収容保護する為のもので、図２の（Ａ）、（Ｄ）に示すように、背面側が開口部１ａとなっている凹状のボディ１とその開口部１ａを塞ぐための図２の（Ｃ）に示す蓋２とから構成している。上記ボディ１及び蓋２は、上記回路基板Ｃからケース外部への信号の漏洩及びケース外部から上記回路基板Ｃへのノイズ電波の飛び込みを防止する為に導電性の材料で形成しており、例えばボディ１は亜鉛ダイカスト成形で、蓋２は１ｍｍ厚のアルミニウム板で形成している。尚３は開口部１ａの周縁に備えさせた蓋受け用の段部、４は回路基板Ｃの止付部材で、基板Ｃをボディ１内の一定位置で受ける為の受部５と基板Ｃの止め付けを行う為の止付片６とから構成している。該止付部材４は回路基板Ｃをボディ１の前面壁１ｂと平行な状態に保持する為に、図示の如くボディ１の周壁内面１ｃにおいて前面壁１ｂから等距離の位置に多数を備えさせている。
【０００９】
上記ケースＡ１について更に説明する。Ａ１１は上記ケースＡ１における本体部で、分岐端子Ａ４の支持及び分配回路の収容の為の部分であり、図１に示す如く複数例えば本例では二つの分岐端子Ａ４を相互に上下に充分に離間させて配置できるようにする為に図示の如く上下方向に長く形成しており、図２の（Ｄ）に示すようにボディ１の前面壁１ｂに上記分岐端子Ａ４を備えさせている。又該本体部Ａ１１の内部は回路基板Ｃの存置用の空間７となっている。Ａ１２，Ａ１３はケースＡ１における張出部で、夫々入力端子Ａ２及び出力端子Ａ３の取付及び分岐回路の収容の為の部分であり、上記本体部Ａ１１の左８ａ及び右８ｂ（本実施例では背面側から見た状態において左、右という）においてそれぞれ上方に偏在８ｃした位置から左右の側方に張り出させている。上記偏在８ｃは、本体部Ａ１１の側方で且つ張出部Ａ１２，Ａ１３の下方に入力端子Ａ２と出力端子Ａ３とを位置させる為の空間を確保すると共に、それらの端子Ａ２，Ａ３に接続する同軸ケーブルの遠回しの曲率半径を大きくできるようにする為のものであって、本例では各張出部Ａ１２，Ａ１３に取付ける入力端子Ａ２及び出力端子Ａ３が直列ユニットＹの上下方向のほぼ中間に位置する状態となる程度に偏在させている。上記偏在は又、上記入力端子Ａ２における回路接続部１５と出力端子Ａ３における回路接続部１５との間の分岐回路配置用のスペースＳ１と、二つの分岐端子Ａ４における各々の回路接続部２２の中間の分配回路配置用のスペースＳ２とを相互に偏在させる為のものでもあって、その偏在の程度は、各々のスペースＳ１，Ｓ２に配置する分岐回路と分配回路との相互の電気的干渉を防止させられる程度に設定している。本例では、図示の如く本体部Ａ１１の上面Ａ１１ａと各張出部Ａ１２，Ａ１３の上面Ａ１２ａ，Ａ１３ａとが一致する位置まで偏在させている。上記張出の寸法Ｌ１は、これらの張出部Ａ１２，Ａ１３における下壁９が入力端子Ａ２及び出力端子Ａ３の取付部となっている為、そこに入力端子Ａ２及び出力端子Ａ３の取付の寸法が確保され、且つそれらの端子Ａ２，Ａ３における接栓装着部１６（詳細は後述する）と本体部Ａ１１の左８ａ及び右８ｂの外側面８ａ’，８ｂ’との間にそれらの接栓装着部１６に対する接栓の装着を可能にする為の隙間Ｇ１が出来る大きさに定めている。張出部Ａ１２，Ａ１３の内部は回路基板Ｃの存置用の空間１０となっている。
【００１０】
次に入力端子Ａ２は周知の構造の接栓座をもって構成してあり、図２の（Ｄ）に示す１１は筒状の外部導体、１２は絶縁体、１３は中心導体を夫々示す。上記外部導体１１はボディ１における張出部Ａ１２の下壁９と一体成形しているが、別体成形のものを後付けによって下壁９に取付けても良い。上記入力端子Ａ２における各機能部について更に説明すれば、１４は中間部に備えたケース取付部で、ケースへの取付のための部分であり、本例では上記一体成形によって張出部Ａ１２の下壁９に対する固着の目的を果たしている。螺着による固着であっても良い。１５は一方の端部に備えた回路接続部で、ケースＡ１内の回路との接続のための部分であり、張出部Ａ１２内に位置している。該回路接続部１５は上記外部導体１１における一端１１ａと上記中心導体１３において絶縁体１２から突出する部分１３ａとでもって構成され、上記下壁９に対する上記ケース取付部１４の取付によって、一端１１ａ及び突出部１３ａが張出部Ａ１２内に位置している。前者１１ａはアース部であって、上記下壁９に対するケース取付部１４の固着により直列ユニットＹの全体のアース部であるケースＡ１と導通している。後者１３ａは信号伝達部である。１６は他方の端部に備えた接栓装着部で、接栓の装着を行う為の部分を示し、接栓を螺着させる為のねじ１７を外部導体１１の外周面に刻設している。
【００１１】
ケースＡ１に対する上記入力端子Ａ２の取付状態について更に説明する。上記接栓座をもって構成した入力端子Ａ２は、直列ユニットの後方側から見た状態を図２の（Ａ）に示すように、上記接栓装着部１６が上記本体部Ａ１１の左の側方で且つ張出部Ａ１２の下方に位置する状態で取付てある。しかも、張出部Ａ１２の張出寸法Ｌ１が出来るだけ小さくて足り且つ接栓装着部１６に対する接栓の装着作業を容易にするに充分に大きな間隔Ｇ１が得られるようにする為に、接栓装着部１６と上記本体部Ａ１１の左の外側面８ａ’との間隔Ｇ１がケース取付部１４と上記本体部Ａ１１の左の外側面８ａ’との間隔Ｇ２よりも大きくなるように傾斜する状態で取付けている。上記間隔Ｇ１は上記接栓の装着を容易にする為に例えば４ｍｍ程度あると良く、その為には、入力端子Ａ２の軸線Ａ２ｃと上記外側面８ａ’とのなす角度θ１が７．５゜程度になるようにすると良い。尚上記張出寸法Ｌ１を比較的小さくし且つ間隔Ｇ１を上記接栓の取付が容易な間隔にする為に、上記角度θ１は例えば５゜〜１０゜程度の範囲で設定すると良い。次に直列ユニットＹの横方から見た状態を図２の（Ｄ）に示すように、接栓装着部１６に対する接栓の装着作業が容易となるようにする為に、ケースＡ１の前面壁１ｂの延長線１ｂ’と接栓装着部１６との間隔Ｇ３が上記延長線１ｂ’とケース取付部１４との間隔Ｇ４よりも大きくなるように傾斜する状態としている。上記間隔Ｇ３は上記接栓の装着を容易にする為に例えば７．５ｍｍ程度あると良く、その為には、軸線Ａ２ｃと上記延長線１ｂ’とのなす角度θ２が１０゜程度になるようにすると良い。尚上記接栓の装着を容易にする為に、上記角度θ２は例えば５゜〜２０゜程度の範囲で設定しても良い。
【００１２】
上記のような接栓座をもって構成された入力端子Ａ２にあっては、高周波信号（例えばＶＨＦやＵＨＦ帯域のテレビ信号）が通る中心導体１３がアース部となる外部導体１１で包囲され、又回路接続部１５における中心導体１３ａはケースＡ１の張出部Ａ１２によって包囲されている為、そこから外部への信号の漏洩や外部のノイズ電波がその中心導体１３に飛び込むことが防止される。次に出力端子Ａ３は上記入力端子Ａ２と同様の構成の接栓座をもって構成しており、又張出部Ａ１２に対する入力端子Ａ２の取付状態と同様の状態で張出部Ａ１３に取付けてある。従って機能上入力端子Ａ２と同一又は均等の構成で説明が重複すると考えられる部分には、入力端子Ａ２で用いた符号と同一の符号を付して重複する説明を省略する。尚Ａ３ｃは接栓座Ａ３の軸線を示す。
【００１３】
次に分岐端子Ａ４は２台の受信機器例えばテレビ受像機とビデオテープレコーダの接続の為に図１の（Ｂ）のように二つを備え、それらをケースＡ１における本体部Ａ１１の前面壁１ｂに上下に充分に離間させて備えさせている。ここでの充分な離間距離は、屋内配線器具においてフラッシュプレートと称される化粧プレートにおける端子露出用の窓孔の上下方向寸法に対応させて決定している。上記分岐端子Ａ４は被せ付け型の接栓の装着が出来るようにした接栓座をもって構成しており、図２の（Ｄ）に示す１８は外部導体、１９は絶縁体、２０は中心導体を夫々示す。又機能面においては、２１がケース取付部、２２が回路接続部、２３が接栓装着部を夫々示す。これらの各部材及び部分は、接栓装着部２３が被せ付け型の接栓の装着のために外部導体１８の外周面をねじ溝のない直円筒状に構成している点を除き上記入力端子Ａ２における各部材及び部分と同様の構成であって説明が重複するのでその重複する説明を省略する。尚上記のような分岐端子Ａ４は、図示の二つの他にそれらの中間にもう一つを配置して合計三つにしても良い。或いは本体部Ａ１１の前面壁１ｂの中央部に一つのみを配置しても良い。
【００１４】
次に取付枠Ｂは上記本体Ａを止付る為の基板部Ｂ１とその上下において基板部Ｂ１と一体に構成した取付部材Ｂ２，Ｂ３と、基板部Ｂ１の前面に取付けた化粧枠Ｂ４とから構成している。上記基板部Ｂ１に備えさせた２４は取付枠Ｂと本体Ａとの結合のための結合部材を示し、取付枠Ｂは該部材２４によって基板部Ｂ１の背面とケースＡ１の前面壁１ｂとが重合する状態で本体Ａと結合される。取付部材Ｂ２，Ｂ３は家屋に対する該直列ユニットＹの取付を行うための部材で、各種の取付部に対する取付が出来るよう種々の形状及び大きさの取付用の透孔２５ａ〜２５ｃを穿設してある。尚２５ｄは他の形式の取付枠への止付の為の止付部材を示す。化粧枠Ｂ４は前記した化粧プレートの窓孔に丁度納まる形状に形成している。
【００１５】
次に図２の（Ｂ）に示される回路基板Ｃについて説明する。該回路基板Ｃとしては例えば平板状の１枚の印刷配線基板（プリント基板と称される）を用いてあり、その外形形状は、上記両存置用空間７，１０に跨って収納される形状に形成している。２６は該回路基板Ｃの周縁部に多数備えさせた欠如部で、前記止付部材４における止付片６を嵌入させる為の部分である。２７は入力端子Ａ２の回路接続部１５における中心導体１３との接続のための接続部、２８は出力端子Ａ３に対する同様の接続部、２９，２９は分岐端子Ａ４に対する同様の接続部を夫々示し、各中心導体を嵌入させる為の欠如部２７ａ，２８ａ及び透孔２９ａとその周囲の一部又はそれを取り囲むように備えさせた半田付け用のランド２７ｂ，２８ｂ，２９ｂとから構成している。Ｃ１は上記回路基板Ｃの内の上記接続部２７，２８の間の分岐用基板部、Ｃ２は同じく二つの接続部２９，２９間の分配用基板部を夫々示す。尚これらはその一部３０において重複している。３１は上記分岐用基板部Ｃ１に備えさせた周知の分岐回路で、接続部２９との機械的な干渉の防止の為に図示の如くやや側方に偏在させている。３１ａは分岐回路３１の入力端で、上記接続部２７のランド２７ｂに接続しており、３１ｂは出力端で、上記接続部２８のランド２８ｂに接続している。３１ｃは分岐端である。３２は上記分配用基板部Ｃ２に備えさせた周知の分配回路で、上下の分岐端子Ａ４，Ａ４に対する信号の分配を均等化させる為に、上記基板Ｃ２において上下の接続部２９，２９のほぼ中間位置に設けている。３２ａは分配回路３２の入力端で上記分岐端３１ｃに接続し、３２ｂ，３２ｂは分配端で、上記各接続部２９におけるランド２９ｂに夫々接続している。尚分岐端子Ａ４が三つの直列ユニットでは分配回路として３分配のものが用いられる。又分岐端子Ａ４が一つのみ備えられる直列ユニットの場合は、上記分配回路３２は備えられず、その分岐端子Ａ４に対応する位置に設ける一つの接続部２９に上記分岐回路３１の分岐端３１ｃが接続される。
【００１６】
次に上記直列ユニットＹのメーカーにおける組立は次の通りである。図２の（Ａ）の状態のボディ１内にその開口部１ａから同図（Ｂ）の回路基板Ｃを収納する。この場合、基板Ｃは多数の止付部材４における受部５の上に乗ってボディ１の前面壁１ｂと平行な状態となり、又、基板Ｃの欠如部２６には止付片６が位置し、欠如部２７ａ，２８ａ及び透孔２９ａには夫々端子Ａ２，Ａ３，Ａ４の中心導体１３，２０が位置する。又この状態では入力端子Ａ２の回路接続部１５と出力端子Ａ３の回路接続部１５との間に分岐用基板部Ｃ１が位置し、両分岐端子Ａ４，Ａ４の回路接続部２２，２２相互間に分配用基板部Ｃ２が位置する。その結果前記スペースＳ１に分岐回路３１が位置し、スペースＳ２に分配回路３２が位置する。上記の状態で止付片６でもって該基板Ｃをボディ１に固定する。次に上記各ランド２７ｂ，２８ｂ，２９ｂと各端子Ａ２、Ａ３、Ａ４の各中心導体１３，２０とを接続例えば周知の如く半田付けする。次に蓋２を開口部１ａの段部３に向けて圧入すると（接着剤を併用しても良い）本体Ａが出来上がる。然る後、本体Ａと取付枠Ｂとを結合部材２４でもって結合すると直列ユニットＹが完成する。該結合状態では、取付部材Ｂ２，Ｂ３がケースＡ１の上下に備えられた状態となる。
【００１７】
上記直列ユニットを建物の壁面に予め設置されているボックス例えばスイッチボックス３５に取付ける手順を図３、図４に基づき説明する。先ず上記ボックス３５内にその透孔３６を通して予め引き込まれている入力側の同軸ケーブル４０と出力側の同軸ケーブル４１（本例では何れも上側の透孔３６からの引き込み状態を示したが、何れも下側の透孔３６から引き込んだり、一方を上側の透孔３６から引き込み他方を下側の透孔３６から引き込む場合もある）とを、ボックス３５の前面開口部３５ａから前方に引き出し、各ケーブルの先端に夫々接続用の接栓４２を取付ける。そしてそれらの接栓４２を上記入力端子Ａ２及び出力端子Ａ３の接栓装着部１６に夫々螺着によって接続する。これらの接栓４２の接続は、代表として出力端子Ａ３に対する接続を図５に示すと、前記傾斜θ１の存在により間隔Ｇ１が大きくとられているので、（Ａ）及び（Ｃ）に示すように接栓４２を回動操作する指先５１を外側面８ｂ’と回動操作中の接栓４２との間に入り込ませることが出来、その回動操作の作業を比較的容易に行うことが出来る。又前記傾斜θ２の存在により間隔Ｇ３が大きくとられているので、（Ｂ）及び（Ｃ）に示すように別の指先５２を取付枠Ｂにおける基板部Ｂ１の背面Ｂ１ａと回動操作中の接栓４２との間に入り込ませることが出来、上記回動操作をより一層容易に行うことが出来る。入力端子Ａ２に対する接栓４２の接続も同様である。
【００１８】
上記のようにして同軸ケーブル４０，４１の接続を終えたならば、次に上記引き出した両同軸ケーブル４０，４１を図３の（Ｂ）及び図４に示すように縁回しをさせてボックス３５内に納めながら直列ユニットの本体Ａをボックス３５内に収納させ、上下の取付部材Ｂ２，Ｂ３をボックス３５における上下の止付部３７に例えば止付ねじ３８でもって夫々止付る。この場合直列ユニットＹの本体Ａの奥行き寸法Ｌ２が小さいため、ボックス３５の背壁３５ｂの内面と直列ユニットＹの本体Ａの背面Ａ’（蓋２の背面が該背面Ａ’となっている）との間には大きな奥行き方向の寸法Ｌ３の空間４３が空く。従って上記ケーブル４０，４１の縁回しは該空間４３を利用してゆったりと行うことが出来る。又、上方に偏在させた張出部Ａ１２，Ａ１３に入力端子Ａ２及び出力端子Ａ３が取り付いているので、入力端子Ａ２及び出力端子Ａ３の下側に長い空間が出来ている。従って上記同軸ケーブル４０，４１はその長い空間を利用して大きい曲率半径でゆったりと回して後方の空間４３に至らすことが出来る。更に、上記入力端子Ａ２及び出力端子Ａ３の角度θ１の存在により、それらの端子Ａ２，Ａ３に接続された同軸ケーブル４０，４１はボックス３５の側壁内面３５ｃ，３５ｄに向かって延びそこから湾曲する状態となるため、上記縁回しの曲率半径をその分大きくしてよりゆったりと縁回しすることが出来る。これらのことは何れも上記縁回しをさせながらのボックス３５内への同軸ケーブルの収納を容易化する。上記のようにしてボックス３５内への収納を終えたならば、最後に化粧プレートを取付けて直列ユニットＹの取付作業が完了する。
【００１９】
使用状態において、ケーブル４０を通して入来する高周波信号（例えばテレビ信号）は入力端子Ａ２から分岐回路３１へ至り、更に出力端子Ａ３からケーブル４１に送出される。分岐回路３１にて分岐されたテレビ信号は分配回路３２で分配され、両分岐端子Ａ４，Ａ４に出力される。分岐端子Ａ４に出力された信号は、その端子Ａ４に接続される受信機器例えばテレビ受像機或いはビデオテープレコーダに与えられる。
【００２０】
【発明の効果】
以上のように本願発明にあっては、入力端子Ａ２に入来し出力端子Ａ３から送り出される信号の一部が分岐端子Ａ４に出力されるので、その分岐端子Ａ４に受信機器を接続して上記信号を利用できる。
しかもその場合、上記入力端子Ａ２及び出力端子Ａ３に接栓座を用いているので、信号の漏洩やノイズ電波の飛び込みが防止され、良質の信号の利用が出来る効果がある。
更に上記のように入力端子Ａ２及び出力端子Ａ３に接栓座を用いていても、直列ユニットのケースＡ１を本体部Ａ１１とその本体部Ａ１１の上方偏在位置の左右に張り出させた張出部Ａ１２，Ａ１３とにより構成し、上記の接栓座は、各々の接栓装着部１６が上記本体部Ａ１１の左右の側方で且つ各張出部Ａ１２，Ａ１３の下方に位置する状態において、各々のケース取付部１４を各張出部Ａ１２，Ａ１３の下壁９に取付けているので、直列ユニットＹの奥行き寸法Ｌ２を非常に小さくできる特長がある。このことは、深いボックスは勿論のこと浅いボックス３５にも支障無く取り付けることを可能に出来る効果がある。
しかも上記のように張出部Ａ１２，Ａ１３を本体部Ａ１１の左右に張り出させたものであっても、それらの張出部Ａ１２，Ａ１３に対して接栓座は、各接栓座における接栓装着部１６と上記本体部Ａ１１の左右の外側面８ａ’，８ｂ’との間隔Ｇ１が、各接栓座におけるケース取付部１４と上記本体部Ａ１１の左右の外側面８ａ’，８ｂ’との間隔Ｇ２よりも大きくなるように傾斜する状態に取付けているので、上記間隔Ｇ２を小さくして上記張出部Ａ１２，Ａ１３の張出寸法Ｌ１が小さくて足りるようにし、もって直列ユニットＹの幅寸法の小型化を図り得る効果があると共に、
そのように左右への張出寸法Ｌ１を小さくしても、本体部Ａ１１の左右の外側面８ａ’，８ｂ’と接栓座における接栓装着部１６との間隔Ｇ１を大きく取って、接栓装着部１６に対する接栓４２の装着の操作を容易化出来る効果がある。
【図面の簡単な説明】
【図１】（Ａ）は後方側から見た状態を示す斜視図、（Ｂ）は一部破断正面図。
【図２】（Ａ）はケースにおけるボディの背面図、（Ｂ）は回路基板の背面図、（Ｃ）は蓋の背面図、（Ｄ）は（Ａ）における２Ｄ−２Ｄ線切断部端面図。
【図３】（Ａ）は側面図、（Ｂ）はケーブルを接続しボックスに取付けた状態を示す側面図。
【図４】図２の（Ｂ）の状態をボックスを破断して後方側から見た状態を示す図。
【図５】（Ａ）は接栓座に対して接栓を取付けるときの状態を示す背面図、（Ｂ）は同側面図、（Ｃ）は同水平断面図。
【符号の説明】
Ａ１  ケース
Ａ２  入力端子
Ａ３  出力端子
Ａ４  分岐端子
Ａ１１  本体部
Ａ１２，Ａ１３  張出部
１４  ケース取付部
１６  接栓装着部
【図１】
0003631797.tif 000002
【図２】
0003631797.tif 000003
【図３】
0003631797.tif 000004
【図４】
0003631797.tif 000005
【図５】
0003631797.tif 000006